(57)【要約】【課題】低コストで製作が簡単であり、しかも必要強度を満足しつつスリム化が可能なフレーム構造体を提供する【解決手段】複数本の板状連結部材９を直方体形などの立体形に組み合わせる。板状連結部材９をフレーム構造体７の中心方向に傾斜して配置する。フレーム構造体７の各コーナ部に、コーナ部で出会う３辺の方向に延びた３本の脚部１７ａ〜１７ｃを有するコーナ部材１７を配置する。各コーナ部材１７の各脚部１７ａ〜１７ｃを板状連結部材９の端部に差し込んで連結する。内照式看板１のフレーム構造体７では、連結部材９の幅方向外側の外側縁に沿って係合溝１９を形成し、この係合溝１９に表示シート３の辺々を係合させる。【選択図】図２Ａ
2012083377.tif 000002
【特許請求の範囲】
【請求項１】
複数本の板状連結部材を立体形に組み合わせたフレーム構造体であって、各連結部材をフレーム構造体の中心方向に傾斜させたフレーム構造体。
【請求項２】
少なくとも１２本の板状連結部材を直方体形に組み合わせ、各板状連結部材を直方体形の中心方向に傾斜させた請求項１のフレーム構造体。
【請求項３】
直方体形の各コーナ部に、当該コーナ部で出会う３辺の方向に延びた３本の脚部を有するコーナ部材を配置し、各コーナ部材の各脚部を前記板状連結部材の端部に差し込んで連結した請求項１のフレーム構造体。
【請求項４】
前記板状連結部材の幅方向外側の外側縁に沿って係合溝を形成した請求項３のフレーム構造体。
【請求項５】
請求項３のフレーム構造体の内部に光源を配置し、直方体形の少なくとも一面に光透過性の表示シートを張設すると共に、当該表示シートの少なくとも対向する２辺を前記連結部材の係合溝に係合させた内照式看板。
【発明の詳細な説明】
【技術分野】
【０００１】
本発明は、内照式看板などに使用可能なフレーム構造体に関する。
【背景技術】
【０００２】
フレーム構造体は社会の様々な分野で使用されており、例えば特許文献１に記載のエアコン室外機を載置する置台や、引用文献２に記載の内照式看板の枠体に使用されている。このような用途に使用されるフレーム構造体は、通常、複数本の引抜材や押出材を直方体形に組み合わせた形式のものが多い。
【先行技術文献】
【特許文献】
【０００３】
【特許文献１】特開２００９−１４４８４８号公報
【特許文献２】特開２００６−１２６５７１号公報
【発明の概要】
【発明が解決しようとする課題】
【０００４】
例えば内照式看板に使用するフレーム構造体は、形状や大きさが多種多様であり、看板の設置場所が決まってから製作を開始する注文製作の形態を取ることが多い。このため、フレーム構造体の製作コストが嵩むと共に、受注から納品までに時間がかかっていた。
【０００５】
また、内照式看板は文字や図柄を付した表示シートをフレーム構造体に取付け、内蔵光源からの光を表示シートに当てることにより文字や図柄を浮かび上がらせるのであるが、視覚効果を高めるためには光源の光を広い面積で表示シートに当てる必要がある。しかし、従来のフレーム構造体は必要強度を確保する関係で一定の遮光領域が不可避的に存在し、視覚効果をいっそう向上させるために必要強度を確保したうえでフレーム構造体をスリム化することが要請されていた。
【０００６】
本発明はこのような課題を解決するもので、低コストで製作が簡単であり、しかも必要強度を満足しつつスリム化が可能なフレーム構造体を提供することを目的とする。
【課題を解決するための手段】
【０００７】
前記課題を解決するため、請求項１の発明は、複数本の板状連結部材を立体形に組み合わせたフレーム構造体であって、各連結部材をフレーム構造体の中心方向に傾斜させたことを特徴とする。
【０００８】
請求項２の発明は、少なくとも１２本の板状連結部材を直方体形に組み合わせ、各板状連結部材を直方体形の中心方向に傾斜させたことを特徴とする。
【０００９】
請求項３の発明は、直方体形の各コーナ部に、当該コーナ部で出会う３辺の方向に延びた３本の脚部を有するコーナ部材を配置し、各コーナ部材の各脚部を前記板状連結部材の端部に差し込んで連結したことを特徴とする。
【００１０】
請求項４の発明は、請求項３の発明において、前記板状連結部材の幅方向外側の外側縁に沿って係合溝を形成したことを特徴とする。
【００１１】
請求項５の発明は、請求項３のフレーム構造体の内部に光源を配置した内照式看板であって、直方体形の少なくとも一面に光透過性の表示シートを張設すると共に、当該表示シートの少なくとも対向する２辺を前記連結部材の係合溝に係合させたことを特徴とする。
【発明の効果】
【００１２】
本発明は、フレーム構造体の板状連結部材をフレーム構造体の中心方向に傾斜させたので、少ない材料でフレーム構造体の強度を向上させることができ、これによりフレーム構造体の軽量化と低コスト化を達成することができる。
【００１３】
また、このようなフレーム構造体を内照式看板に使用した場合、板状連結部材が傾斜していることによってフレーム構造体の強度を維持しつつスリム化を図ることが可能になり、光源からの光を遮って出来る影領域が減少し、表示シートの実質的な表示面積を拡大して、いわゆるフレームレス（ｆｒａｍｅｌｅｓｓ）的な外観により視覚効果を向上させることができる。
【図面の簡単な説明】
【００１４】
【図１】内照式看板の斜視図である。
【図２Ａ】図１のＩＩＡ−ＩＩＡ線矢視断面図である。
【図２Ｂ】図１のＩＩＢ−ＩＩＢ線矢視断面図である。
【図３】フレーム構造体の斜視図である。
【図４Ａ】連結部材の側面図である。
【図４Ｂ】図４ＡのＩＶＢ−ＩＶＢ線矢視断面図である。
【図５】コーナ部材の脚部に連結部材の一端部を差し込むときの斜視図である。
【図６】コーナ部材を示すもので、（Ａ）は平面図、（Ｂ）は正面図、（Ｃ）は側面図である。
【図７】フレーム構造体の角部の拡大断面図である。
【発明を実施するための形態】
【００１５】
以下、本発明を内照式看板のフレーム構造体に適用した実施の形態を図面を参照して説明する。図１に示すように内照式看板１は横長直方体形をしており、その前後左右の４側面と天井面に光透過性の長方形の表示シート３が張設されている。内照式看板１の内部には、図２Ａおよび図２Ｂに示すように光源としての蛍光灯５が複数本内蔵され、蛍光灯５の光によって表示シート３に描かれた文字や図柄を浮かび上がらせるようになっている。なお、蛍光灯５は内照式看板１の底部に配設された基板に取付けられている。
【００１６】
フレーム構造体７は合計１２本の板状の連結部材９を図３のように直方体形に組み合わせたもので、各連結部材９（大連結材９ａ、中連結材９ｂ、小連結材９ｃ）はその内側端が図２Ａ、図２Ｂのように直方体形のフレーム構造体７の中心方向を向くように約４５°で傾斜して配置されている。各連結部材９はアルミの引抜材または押出材で同一断面に製作されており、その両端は図４Ａのようにθ＝５４．５°で斜めにカットされている。また連結部材９の断面は図４Ｂに示すように細長の長方形とされ、内部に大小の長方形の孔１１、１３が上下に形成され、また一端にＥ字状の側縁１５が形成されている。そして大きい方の孔１１が図４Ａで一点鎖線で示すように後述のコーナ部材１７の脚部１７ａ（１７ｂ、１７ｃ）を挿入するための挿入孔１８として使用される。またＥ字状の側縁１５によって互いに平行な２つの係合溝１９が形成され、この係合溝１９の内面の複数箇所に突起１９ａが形成されている。連結部材９の両端の近傍には、挿入孔１８を横断する方向に軸線を有するボルト孔２１が２つずつ貫通形成されている。
【００１７】
コーナ部材１７はフレーム構造体７の合計８つの各コーナ部に配置されて各連結部材９の端部同士を連結するもので、図５、図６のように３本の脚部１７ａ〜１７ｃを有する。３本の脚部１７ａ〜１７ｃはフレーム構造体７のコーナ部で出会う３辺の方向に等しい長さで延び、かつ互いに直角とされている。脚部１７ａ〜１７ｃの断面形状は、連結部材９の挿入孔１８に挿入可能なように挿入孔１８よりも一回り小さい長方形断面とされ、この断面形は連結部材９と同様に斜めに傾斜されている。すなわち、脚部１７ａ〜１７ｃは当該脚部を境として隣接するフレーム構造体７の二面の交差角（９０°）を二等分する方向に傾斜している。各脚部１７ａ〜１７ｃには２箇所にボルト挿通孔２３が形成され、連結部材９の挿入孔１８に脚部１７ａ〜１７ｃを挿入した後に２つのボルト孔２１にボルトを挿入し、このボルトを反対側からナットで締め付けることにより連結部材９をコーナ部材１７に固定するようになっている。
【００１８】
フレーム構造体７は以上のように構成され、図１のように、内照式看板１の直方体形の４側面と天井面に張設した各表示シート３の４辺を、図７のように各連結部材９の係合溝１９に係合させて中空直方体形の内照式看板１を構成する。表示シート３の４辺に形成された肉厚係合部３ａが係合溝１９に嵌合されると、係合溝１９の内側の突起１９ａが肉厚係合部３ａに食い込んで肉厚係合部３ａが外れ難くなる。一つの連結部材９を間に挟んだ２枚の表示シート３の張力が合成されると、この合成力は連結部材９の曲げ強度の有利な方向である連結部材の幅方向に作用するので、フレーム構造体７の必要強度を確保したうえで連結部材９の厚みを最小にするスリム化が可能になる。このように連結部材９をスリム化することにより、図２Ａ、図２Ｂに斜線で示すように蛍光灯５からの光を連結部材９が遮って出来る影領域を最小化することができ、いわゆるフレームレス的な外観により内照式看板１の視覚効果を向上させることができる。また、フレーム構造体７の形状と大きさは、使用する連結部材９（大連結材９ａ、中連結材９ｂ、小連結材９ｃ）の長さを変えるだけで簡単に変更することができるから、受注から納品までの期間を大幅に短縮することが可能である。また、フレーム構造体７のスリム化と相俟って大幅なコストダウンも可能である。
【００１９】
以上、本発明の一つの実施形態について説明したが、本発明は前記実施形態に限定されることなく種々の変形が可能である。例えば前記実施形態ではフレーム構造体７を直方体形にしたが、直方体形以外の例えば三角錐形であってもよいし、或いは８面体形やそれ以上の多面体形にすることも可能である。また、本発明のフレーム構造体７は内照式看板１以外の用途にも使用可能なことは勿論であるし、内照式看板１に使用した場合の表示シート３は、フレーム構造体７の複数の面に配置するほか、少なくとも１つの面にだけ配置してもよい。さらに、表示シート３の４辺のすべてを必ず連結部材９の係合溝１９に係合させなければならないものではなく、表示シート３の少なくとも対向する２辺を連結部材９の係合溝１９に係合させる製作も可能である。
【符号の説明】
【００２０】
１    内照式看板
３    表示シート
３ａ  肉厚係合部
５    蛍光灯
７    フレーム構造体
９    板状連結部材
１１、１３  孔
１５  側縁
１７  コーナ部材
１７ａ-１７ｃ     脚部
１８  挿入孔
１９  係合溝
１９ａ      突起
２１  ボルト孔
２３  ボルト挿通孔
【図１】
2012083377.tif 000003
【図２Ａ】
2012083377.tif 000004
【図２Ｂ】
2012083377.tif 000005
【図３】
2012083377.tif 000006
【図４Ａ】
2012083377.tif 000007
【図４Ｂ】
2012083377.tif 000008
【図５】
2012083377.tif 000009
【図６】
2012083377.tif 000010
【図７】
2012083377.tif 000011